(57)【要約】 【課題】  廃棄ダンボール並びに廃棄紙管を利用しつつ、簡易な作業により量産可能で、かつ所用の耐圧荷重と適度な緩衝作用を得ることのできるダンボール製パレットの提供【解決手段】  上板１の下側に、下板４の立ち上げ部５ａ，５ｂの接合片５ｃ，５ｄを、上板１の接合部７ａ，７ｂに当て付けつつ固着して、パレット本体８を形成するとともにこのパレット本体８の間隔Ａ内の両端部と中央部に紙管９ａ，９ｂ，９ｃを装入固着し、かつこの両端部の紙管９ａ，９ｃと中央部の紙管９ｂ間に、両側に立ち上げ片１１ａ，１１ｂ，１１ｃ，１１ｄを立設したスペーサ板１０ａ，１０ｂを装入固着することにより、ダンボールパレット１３を構成する。【選択図】  図３
2005132374.tif 000002
【特許請求の範囲】
【請求項１】
長方形状のダンボール板の四辺を上側に折り曲げて成る上板の下側に、長方形状のダンボール板の長さ方向の前後両端部を断面コ字状に折り曲げて立ち上げ部を立設してなる下板の接合片を、前記上板の接合部に当て付けつつ固着して、パレット本体を形成するとともにこのパレット本体の上板と下板間の間隔内の両端部と中央部に紙管を横長に装入固着し、かつこの両端部の紙管と中央部の紙管間に、両側に立ち上げ片を立設したスペーサ板を装入固着することにより構成した事を特徴とするダンボールパレット。
【請求項２】
長方形状のダンボール板の長さ方向において対向する２辺を下側に折曲した接合片を設けてなる上板の各接合片と、長方形状のダンボール板の長さ方向において対向する２辺を上側に折曲した接合片を設けてなる下板の各接合片を互いに重合しつつ固着してパレット本体を形成するとともにこのパレット本体の上板と下板間の間隔内の両端部と中央部に紙管を横長に装入固着し、かつこの両端部の紙管と中央部の紙管間に、箱型のスペーサ板を装入固着することにより構成したことを特徴とするダンボールパレット。
【請求項３】
前記スペーサ板の箱型本体の底板を外側に突設した受板を備えるとともにこの受板を、前記パレット本体の両端部に装入した紙管の下側に差し込みつつ挿入固着することにより構成したことを特徴とする請求項２記載のダンボールパレット。
【発明の詳細な説明】
【技術分野】
【０００１】
本発明は、廃棄ダンボール板および廃棄段ボール紙管等の廃棄紙材を利用して製造することのできる即席式のダンボールパレットに関するものである。
【背景技術】
【０００２】
従来、フォークリフト等の荷扱い機を使用して荷物を搬送する際に使用するパレットとして、図８に示すような紙製のパレットが提供されている。
図８に示す紙製のパレット４０は、平板状のダンボール板から成る上板４１および下板４２間に円筒状の段ボール紙管４３を所要箇所に配置しつつ介装することにより構成されている。
【０００３】
そして、当該パレット４０は、各段ボール紙管４３の上端および下端をそれぞれ上板４１および下板４２に接着剤によって固着することにより、固定したものである。
かかる各段ボール紙管４３によって、パレット４０に対する搬送荷物の耐圧加重を支えることができるようにするとともに各段ボール紙管４３間に形成される上板４１および下板４２間のスペースにフォークリフトのフォークを差し込みつつ使用することができるように構成されている（特許文献１の公報第３頁第３欄第１〜７行および第６頁図１参照）。
【特許文献１】特開平１０−２３０９３８号公報
【発明の開示】
【発明が解決しようとする課題】
【０００４】
しかるに、前記した従来の紙製のパレット４０の場合には、上下板４１，４２間に介装する各段ボール紙管４３の寸法は正確にカットする必要があるとともに上下板４１，４２間に位置合わせしつつ接着剤にて固着する作業が要求されるもので製造に煩雑な作業と手間が掛かる欠点を有するものである。
【０００５】
因って、本発明は、前記従来の紙製のパレットの欠点に鑑みて発明されたもので、廃棄ダンボール並びに廃棄紙管を利用しつつ、簡易な作業により量産可能で、かつ所要の耐圧加重と適度な緩衝作用を得ることのできるダンボール製パレットの提供を目的とするものである。
【課題を解決するための手段】
【０００６】
本発明の目的達成手段となる請求項１の発明は、長方形状のダンボール板の四辺を上側に折り曲げて成る上板の下側に、長方形状のダンボール板の長さ方向の前後両端部を断面コ字状に折り曲げて立ち上げ部を立設してなる下板の接合片を、前記上板の接合部に当て付けつつ固着して、パレット本体を形成するとともにこのパレット本体の上板と下板間の間隔内の両端部と中央部に紙管を横長に装入固着し、かつこの両端部の紙管と中央部の紙管間に、両側に立ち上げ片を立設したスペーサ板を装入固着することにより構成した事を特徴とするダンボールパレットである。
【０００７】
また、請求項２の発明は、長方形状のダンボール板の長さ方向において対向する２辺を下側に折曲した接合片を設けてなる上板の各接合片と、長方形状のダンボール板の長さ方向において対向する２辺を上側に折曲した接合片を設けてなる下板の各接合片を互いに重合しつつ固着してパレット本体を形成するとともにこのパレット本体の上板と下板間の間隔内の両端部と中央部に紙管を横長に装入固着し、かつこの両端部の紙管と中央部の紙管間に、箱型のスペーサ板を装入固着することにより構成したことを特徴とするダンボールパレットである。
【０００８】
そして、請求項３の発明は、前記スペーサ板の箱型本体の底板を外側に突設した受板を備えるとともにこの受板を、前記パレット本体の両端部に装入した紙管の下側に差し込みつつ挿入固着することにより構成したことを特徴とする請求項２記載のダンボールパレットである。
【発明の効果】
【０００９】
本発明のダンボールパレットによれば、ダンボール板と紙管により簡単かつ安価に製作することができるとともに搬送物の種類や大きさに対応せしめて、最適なパレットを提供することができる。
【００１０】
又、搬送物に対してダンボール板と紙管による適度なクッション性による緩衝作用が発揮され、搬送物に対する保護作用を備えるパレットを提供することができる。
【００１１】
さらに、ダンボールパレットであるため軽量であるから、搬送物の搬送に際して、これをセットした状態にて使用することにより、フォークリフトによる搬送に際するパレットとしての保管が不要であるとともにこれを回収することなく、使い捨てすることができる利点を有するものである。特に、本発明のダンボールパレットの製作において、物流倉庫に放置されている廃棄ダンボール板や、芯材として使用後の廃棄紙管を再利用した製作が可能で、制作の簡易な点に加えて、コストをより安価にすることができる。
【００１２】
また、本発明の請求項２の場合には、パレット本体の上板、下板および両端部の増強が可能であるとともに請求項３の場合には両端部における紙管の補強に加えて、緩衝作用を増大することができる。
【発明を実施するための最良の形態】
【００１３】
以下本発明のダンボールパレットの実施の形態を図面とともに詳細に説明する。
（実施の形態１）
図１〜３は、本発明ダンボールパレットの実施の形態１を示すもので、図１は、上板および下板の斜視図、図２はパレット本体と桁部材およびスペーサ部材の斜視図、図３はダンボールパレットの斜視図である。
【００１４】
１は上板で、この上板１の上板本体２の周側には、それぞれ折曲線３ａ，３ｂ，３ｃ，３ｄを上側に折曲して、上板本体２に乗載される搬送物の支持片２ａ，２ｂ，２ｃ，２ｄを連設し、かつ、前記上板本体２の長さ方向の前後両端部には、下板本体との接合部２ｅ，２ｆをもうけることにより長方形状のダンボール板により一体に形成されている。
【００１５】
４は下板で、この下板４の下板本体５の横幅は、前記上板本体２の横幅と同一幅にて形成し、かつ、前記下板本体５の長さ方向の前後両端部には、その両端辺部をそれぞれ折曲線６ａ，６ｂ，６ｃ，６ｄより折曲して、断面においてコ字状の立ち上げ部５ａ，５ｂを立設するとともに、この各立ち上げ部５ａ，５ｂには、前記上板１の上板本体２の接合部２ｅ，２ｆとの接合片５ｃ，５ｄを連設することにより、長方形状のダンボール板により一体に形成されている。
【００１６】
しかして、図２に示す如く、下板４の上側に上板１を乗載するとともに下板４の接合片５ｃ，５ｄと上板１の接合部２ｅ，２ｆとの重合部分を、ステッチ止め７ａ，７ｂすることにより、パレット本体８を形成する。
【００１７】
尚、前記上板１の接合部２ｅ，２ｆと下板４の接合片５ｃ，５ｄとの重合部分は、ステッチ止め７ａ，７ｂに替えて、接着剤、両面テープ等の固着手段を介して固着することにより接合することも可能である。
【００１８】
図２において、９ａ，９ｂ，９ｃは桁部材としての円筒状の紙管で、それぞれの長さは、パレット本体８の横幅に対応せしめるとともにそれぞれの直径はパレット本体８の上板本体２と下板本体５間の間隔Ａの高さに対応せしめて、形成してある。
【００１９】
また、１０ａ，１０ｂはスペーサ部材としてのスペーサ板で、それぞれの長さ方向の幅をパレット本体８の横幅に対応せしめるとともにスペーサ本体１１の前後両端部を折曲線１２ａ，１２ｂ，１２ｃ，１２ｄより折曲して立ち上げ片１１ａ，１１ｂ，１１ｃ，１１ｄを設けることによりダンボール板により形成してある。
【００２０】
前記各スペーサ板１０ａ，１０ｂの各立ち上げ片１１ａ，１１ｂ，１１ｃ，１１ｄの高さは、前記パレット本体８の上板本体２と下板本体５間の間隔Ａの高さに対応せしめるとともに、その横幅は、前記３本の紙管９ａ，９ｂ，９ｃをパレット本体８の上板本体２と下板本体５間の前後両端部および中央部に装入した場合、紙管９ａと紙管９ｂ間および紙管９ｂと紙管９ｃ間の間隙に装入し得るように対応せしめて、形成してある。
【００２１】
因って、前記構成からなるパレット本体８に対して、前記構成から成る桁部材としての紙管９ａ，９ｂ，９ｃおよびスペーサ部材としてのスペーサ板１０ａ，１０ｂを図３に示す如く、装着することによりダンボールパレット１３を形成するものである。
【００２２】
すなわち、図２に示されるパレット本体８の上板本体２と下板本体５間に形成される間隔Ａに対して、その両端部に紙管９ａ，９ｃを、紙管９ｂを中央部に、横長の状態に装入しつつ配置するとともに、紙管９ａと紙管９ｂ間にスペーサ板１０ａを、紙管９ｂと紙管９ｃ間にスペーサ板１０ｂを装入して、それぞれをステイプル、その他の接着剤、両面テープ等の接着手段にて固着することにより、各紙管９ａ，９ｂ，９ｃおよびスペーサ板１０ａ，１０ｂをパレット本体８の間隔Ａ内に装着し、ダンボールパレット１３を形成するものである。
【００２３】
尚、図３に示す如く、ダンボールパレット１３には、前記スペーサ板１０ａ，１０ｂの間隔Ｂにより、フォークリフトのフォーク差し込み部が形成されている。
【００２４】
又、ダンボールパレット１３の上板１、下板４および紙管９ａ，９ｂ，９ｃ，さらには、スペーサ板１０ａ，１０ｂは一般のダンボール板および紙管により、それぞれ形成することが可能であるが、物流倉庫に放置されている廃棄ダンボール板や、シュリンク紙の巻き芯として使用済みの廃棄紙管を使用することにより、簡単、かつ効率的に製作することが可能である。
【００２５】
すなわち、使用済みの廃棄ダンボール板の形状寸法をなるべくそのままの状態で上板１，下板４並びにスペーサ板１０ａ，１０ｂとして使用し得るようにするとともに廃棄紙管の長さと直径に対応した上板１および下板４と、その立ち上げ部５ａ，５ｂとスペーサ板１０ａ，１０ｂを予め設計して製作することにより、廃棄ダンボール板および廃棄紙管を再利用しつつ、ダンボールパレット１３を簡単かつ効率的に製作できる。
【００２６】
又、特に、前記シュリンク紙の巻き芯として使用済みの廃棄紙管は、巻き芯としての耐久性が、そのままダンボールパレット１３の耐圧荷重を発揮するとともにクッション性をも有するもので、搬送物に対する緩衝効果をも発揮することができる利点を有する。
【００２７】
（実施の形態２）
図４，図５（ａ）および図６（ａ）は、本発明のダンボールパレットの実施の形態２を示し、図４は、上板と下板の斜視図、図５（ａ）は、上板と下板間に装着するスペーサ板の斜視図、図６（ａ）はダンボールパレットの斜視図である。
【００２８】
１４は上板で、この上板１４の上板本体１５の長さ方向の前後両端部には、折曲線１６ａ，１６ｂを下側に傾斜せしめつつ折曲して接合片１７ａ，１７ｂを連設するとともに上板本体１５の左右両側部には、折曲線１６ｃ，１６ｄを上側に折曲して、搬送物の支持片１８ａ，１８ｂを連設して、長方形状のダンボール板により一体に形成されている。
【００２９】
また１９は下板で、この下板１９の下板本体２０の長さ方向の前後両端部には、折曲線２１ａ，２１ｂを上側に傾斜せしめつつ折曲して、前記上板１４の接合片１７ａ，１７ｂと接合する接合片２２ａ，２２ｂを連設して、長方形状のダンボール板により一体に形成されている。
【００３０】
また、前記上板１４と下板１９の上板本体１５および下板本体２０の長さおよび横幅は同一寸法にて形成するとともに接合片１７ａ，１７ｂ，２２ａ，２２ｂの寸法についても同一寸法にて形成するものである。
【００３１】
そして、図４に矢印にて示す如く、下板１９に対して、上板１４を乗載するとともに上板１４の接合片１６ａ，１６ｂを下板１９の接合片２２ａ，２２ｂの内側に重合せしめ、それぞれの接合片１６ａと接合片２２ａおよび接合片１６ｂと接合片２２ｂとをステッチ止め２３することにより、図６に示すパレット本体２４を形成する。
【００３２】
尚、前記上板１４と下板１９の接合片１６ａ，１６ｂ，２２ａ，２２ｂの固着手段としては、実施の形態１の場合と同様に、接着剤あるいは両面テープ等を使用した固着方法を採用することが可能である。
【００３３】
この実施の形態において使用する桁部材としては、実施の形態１と同様の紙管９ａ，９ｂ，９ｃを使用するが、スペーサ部材としては、図５（ａ）に示す箱形に形成したスペーサ板２５ａ，２５ｂを使用する。
【００３４】
スペーサ板２５ａ，２５ｂは、図５（ａ）に示す如く、パレット本体２４の間隔の横幅と高さに対応せしめて箱型本体２６ａ，２６ｂをダンボール板を折曲して一体に形成したものである。
【００３５】
また、このスペーサ板２５ａ，２５ｂについても、実施の形態１のスペーサ板１０ａ，１０ｂと同様に、箱型本体２６ａ，２６ｂにフォークリフトのフォークを差し込むための間隔Ｂを形成してある。
【００３６】
因て、実施の形態１の場合と同様に、上板１４と下板１９にて形成したパレット本体２４の間隔Ａ内に、紙管９ａ，９ｃを前後両端部に位置せしめるとともに紙管９ｂを中央部に位置せしめつつ、これを横長に装入し、かつこの両端部の紙管９ａ，９ｃと中央部の紙管９ｂ間にスペーサ板２５ａ，２５ｂを装入して、実施の形態１の場合と同様の固着手段により、各紙管９ａ，９ｂ，９ｃおよびスペーサ板２５ａ，２５ｂを固着することにより図６（ａ）に示すダンボールパレット２９を形成する。
【００３７】
また、このダンボールパレット２９の製作についても、実施の形態１の場合と同様に、一般のダンボール板、および紙管を使用して製作する場合に加えて、廃棄ダンボール板、廃棄紙管を使用した製作が可能である。
【００３８】
この実施の形態２のダンボールパレット２９の場合には、実施の形態１のダンボールパレット１３に比較して、パレット本体８とパレット本体２４の構成においては、パレット本体２４の場合、前後両端部が、接合片１７ａ，１７ｂと接合片２２ａ，２２ｂを重合する二重構造となり、強度が増強された点にあり、その他の点においては、スペーサ板１０ａ，１０ｂに対して、箱型本体２６ａ，２６ｂによるスペーサ板２５ａ，２５ｂの場合にも、パレット本体２４の上板本体１５と下板本体２０とがともに二重構造となり、増強される。
【００３９】
（実施の形態３）
図５（ｂ）および図６（ｂ）は本発明ダンボールパレットの実施の形態３を示すもので、図５（ｂ）はスペーサ板の斜視図、図６（ｂ）はダンボールパレットの斜視図である。
【００４０】
しかしてこの実施の形態のダンボールパレット３０は、実施の形態２のダンボールパレット２９の構成中、図５（ａ）に示すスペーサ板２５ａ，２５ｂを形成する際に、底板２７ａ，２７ｂ部分を紙管９ａ，９ｃの直径の幅だけ突設して、紙管９ａ，９ｃの受板２８ａ，２８ｂを連設することによりダンボール板にて一体に形成したスペーサ板３１ａ，３１ｂを使用するものである。
【００４１】
すなわち、実施の形態２の場合と同様に、上板１４と下板１９にて形成したパレット本体２４の間隔Ａ内に、紙管９ａ，９ｃを前後両端部に位置せしめるとともに紙管９ｂを中央部に位置せしめつつ、これを横長に装入し、かつこの両端部の紙管９ａ，９ｃと中央部の紙管９ｂ間にスペーサ板３１ａ，３１ｂを装入するのであるが、この際に、両端部に装入する紙管９ａ，９ｃは、スペーサ板３１ａ，３１ｂの受板２８ａ，２８ｂの上側に装入する。
【００４２】
そして、この状態にて、それぞれの紙管９ａ，９ｂ，９ｃとスペーサ板３１ａ，３１ｂをパレット本体２４内に固着することにより図６（ｂ）に示すダンボールパレット３０を形成するものである。
【００４３】
尚、その他の構成については、実施の形態２と同様であるので、実施の形態２のダンボールパレット２９と同様の符号をつけて、説明は省略する。
【００４４】
また、実施の形態１のダンボールパレット１３と比較した場合の強度の増強部分は、実施の形態２の場合のスペーサ板２５ａ，２５ｂによる増強点に加えて、スペーサ板３１ａ，３１ｂが、受板２８ａ，２８ｂを備えることにより、ダンボールパレット３０の両端部に装入される紙管９ａ，９ｃが受板２８ａ，２８ｂにて抱持され、その結果、ダンボールパレット３０の両端部が更に増強される。
【００４５】
図７は、本発明ダンボールパレットの使用状態を示すもので、特に、前記実施の形態２のダンボールパレット２９を使用して、搬送物３２を搬送する場合を示したものである。
【００４６】
そして、図７に示す如く、ダンボールパレット２９上に搬送物３２をセットする場合には、ダンボールパレット２９上に乗載した搬送物３２を、スペーサ板２５ａ，２５ｂの間隔Ｂにバンド３３ａ，３３ｂを通して締め付けることにより固定する。
【００４７】
この状態にて、フォークリフトのフォークをスペーサ板２５ａ，２５ｂの間隔Ｂ（スペース）に差し込み搬送するものである。
【００４８】
尚、実施の形態１，３のダンボールパレット１３，３０の使用状態については、図示による説明は省略するが、前記実施の形態２のダンボールパレット２９と同様の方法によって使用することができる。
【図面の簡単な説明】
【００４９】
【図１】上板および下板の斜視図（実施の形態１）
【図２】パレット本体と紙管、スペーサ板の斜視図（実施の形態１）
【図３】ダンボールパレットの斜視図（実施の形態１）
【図４】上板および下板の斜視図（実施の形態２）
【図５】（ａ）は、スペーサ板の斜視図（実施の形態２）、（ｂ）は、スペーサ板の斜視図（実施の形態３）
【図６】（ａ）は、ダンボールパレットの斜視図（実施の形態２）、（ｂ）は、ダンボールパレットの斜視図（実施の形態３）
【図７】使用状態を示す説明図
【図８】従来のダンボールパレットの斜視図
【符号の説明】
【００５０】
１  上板
２  上板本体
２ａ〜２ｄ  搬送物の支持片
２ｅ，２ｆ  接合部
３ａ〜３ｄ  折曲線
４  下板
５  下板本体
５ａ，５ｂ  立ち上げ部
５ｃ，５ｄ  接合片
６ａ〜６ｄ  折曲線
７ａ，７ｂ  ステッチ止め
８  パレット本体
９ａ〜９ｃ  紙管
１０ａ，１０ｂ  スペーサ板
１１  スペーサ本体
１１ａ〜１１ｄ  立ち上げ片
１２ａ〜１２ｄ  折曲線
１３  ダンボールパレット
１４  上板
１５  上板本体
１６ａ〜１６ｄ  折曲線
１７ａ，１７ｂ  接合片
１８ａ，１８ｂ  支持片
１９  下板
２０  下板本体
２１ａ，２１ｂ  折曲線
２２ａ，２２ｂ  接合片
２３  ステッチ止め
２４  パレット本体
２５ａ，２５ｂ  スペーサ板
２６ａ，２６ｂ  箱型本体
２７ａ，２７ｂ  底板
２８ａ，２８ｂ  受板
２９  ダンボールパレット
３０  ダンボールパレット
３１ａ，３１ｂ  スペーサ板
３２  搬送物
３３ａ，３３ｂ  バンド
【図１】
2005132374.tif 000003
【図２】
2005132374.tif 000004
【図３】
2005132374.tif 000005
【図４】
2005132374.tif 000006
【図５】
2005132374.tif 000007
【図６】
2005132374.tif 000008
【図７】
2005132374.tif 000009
【図８】
2005132374.tif 000010